(57)【要約】【課題】動作モードを切り替えることなく、同一の動作モードでの操作方法の違いに応じてバルブ撮影等の操作期間に応じた撮影と、タイム撮影等の撮影開始と終了を別途に指示する撮影とを簡単に切り替えることができる撮影制御技術を実現する。【解決手段】撮像装置は、撮像手段と、ボタンと、タッチパネルに対するタッチ操作を検出するタッチ検出手段と、特定の動作モードにおいて、前記ボタンに対する操作を受け付けると当該操作を継続する時間に応じた期間の撮影を行うように前記撮像手段を制御し、前記特定の動作モードにおいて、前記タッチパネルに対するタッチ操作に応じて撮影を開始し、当該タッチ操作によるタッチが離され、再度タッチされたことを検出すると前記撮影を終了するように前記撮像手段を制御する制御手段と、を有する。【選択図】図５
2013225844.tif 000002
【特許請求の範囲】
【請求項１】
撮像手段と、
ボタンと、
タッチパネルに対するタッチ操作を検出するタッチ検出手段と、
特定の動作モードにおいて、前記ボタンに対する操作を受け付けると当該操作を継続する時間に応じた期間の撮影を行うように前記撮像手段を制御し、
前記特定の動作モードにおいて、前記タッチパネルに対するタッチ操作に応じて撮影を開始し、当該タッチ操作によるタッチが離され、再度タッチされたことを検出すると前記撮影を終了するように前記撮像手段を制御する制御手段と、を有することを特徴とする撮像装置。
【請求項２】
前記撮像手段は、前記ボタンに対する操作に応じて開始した前記撮影の途中は前記タッチ操作を受け付けないように制御することを特徴とする請求項１に記載の撮像装置。
【請求項３】
前記制御手段は、前記タッチ操作を検出することにより前記撮影を開始した場合は、前記ボタンに対する操作を受け付けないように制御することを特徴とする請求項１または２に記載の撮像装置。
【請求項４】
前記制御手段は、前記タッチ操作を検出することにより前記撮影を開始した場合であっても、前記ボタンに対する操作を検出することにより前記撮影を終了することを特徴とする請求項１乃至３の何れか１項に記載の撮像装置。
【請求項５】
前記制御手段は、前記タッチ操作を検出することにより前記撮影を開始した場合に、当該タッチ操作が検出されたまま所定の時間が経過した場合には、前記撮影を開始したことを示すガイダンスを表示し、撮影中に前記タッチ操作によるタッチが離されたと判定した場合には、再度のタッチで撮影を終了することを示すガイダンスを表示することを特徴とする請求項１乃至４の何れか１項に記載の撮像装置。
【請求項６】
前記制御手段は、前記タッチ操作を検出することにより前記撮影を開始した場合に、前記撮影を終了するためのソフトボタンを表示し、再度タッチされたことが検出され、かつタッチ位置が当該ソフトボタンの領域内であるならば前記撮影を終了させることを特徴とする請求項１乃至５の何れか１項に記載の撮像装置。
【請求項７】
前記制御手段は、前記タッチ操作を検出することにより前記撮影を開始した場合に、当該タッチ操作が検出されたまま所定の時間が経過した場合には、当該タッチが離されたことを検出すると前記撮影を終了させ、
前記所定の時間が経過する前に当該タッチが離されたことを検出し、再度タッチを検出することにより前記撮影を終了させることを特徴とする請求項１乃至６の何れか１項に記載の撮像装置。
【請求項８】
撮像手段と、
ボタンと、
タッチパネルに対するタッチ操作を検出するタッチ検出手段と、
特定の動作モードにおいて、前記タッチパネルに対するタッチ操作を受け付けると当該タッチ操作を継続する時間に応じた期間の撮影を行うように前記撮像手段を制御し、
前記特定の動作モードにおいて、前記ボタンに対する操作に応じて撮影を開始し、当該ボタンが離され、再度、前記ボタンが操作されたことに応じて前記撮影を終了するように前記撮像手段を制御する制御手段と、を有することを特徴とする撮像装置。
【請求項９】
撮像手段と、
タッチパネルに対するタッチ操作を検出するタッチ検出手段と、
前記タッチパネルに対してタッチされたことを検出すると撮影を開始し、当該撮影の開始から所定時間が経過する前に前記タッチが離されたことを検出すると、タッチが離された後も撮影を継続し、再度タッチされたことを検出すると撮影を終了するように制御し、
前記撮影の開始から所定時間が経過してから前記タッチが離されたことを検出すると撮影を終了するように制御する制御手段と、を有することを特徴とする撮像装置。
【請求項１０】
前記撮影は、露光であることを特徴とする請求項１乃至９の何れか１項に記載の撮像装置。
【請求項１１】
前記撮影は、動画の撮影であることを特徴とする請求項１乃至９の何れか１項に記載の撮像装置。
【請求項１２】
前記撮影は、連写撮影であることを特徴とする請求項１乃至９の何れか１項に記載の撮像装置。
【請求項１３】
撮像手段と、ボタンと、タッチパネルに対するタッチ操作を検出するタッチ検出手段と、を有する撮像装置の制御方法であって、
特定の動作モードにおいて、前記ボタンに対する操作を受け付けると当該操作を継続する時間に応じた期間の撮影を行うように前記撮像手段を制御し、
前記特定の動作モードにおいて、前記タッチパネルに対するタッチ操作に応じて撮影を開始し、当該タッチ操作によるタッチが離され、再度タッチされたことを検出すると前記撮影を終了するように前記撮像手段を制御する制御工程を有することを特徴とする制御方法。
【請求項１４】
撮像手段と、ボタンと、タッチパネルに対するタッチ操作を検出するタッチ検出手段と、を有する撮像装置の制御方法であって、
特定の動作モードにおいて、前記タッチパネルに対するタッチ操作を受け付けると当該タッチ操作を継続する時間に応じた期間の撮影を行うように前記撮像手段を制御し、
前記特定の動作モードにおいて、前記ボタンに対する操作に応じて撮影を開始し、当該ボタンが離され、再度、前記ボタンが操作されたことに応じて前記撮影を終了するように前記撮像手段を制御する制御工程を有することを特徴とする制御方法。
【請求項１５】
撮像手段と、タッチパネルに対するタッチ操作を検出するタッチ検出手段と、を有する撮像装置の制御方法であって、
前記タッチパネルに対してタッチされたことを検出すると撮影を開始し、当該撮影の開始から所定時間が経過する前に前記タッチが離されたことを検出すると、タッチが離された後も撮影を継続し、再度タッチされたことを検出すると撮影を終了するように制御し、
前記撮影の開始から所定時間が経過してから前記タッチが離されたことを検出すると撮影を終了するように制御する制御工程を有することを特徴とする制御方法。
【請求項１６】
コンピュータを、請求項１乃至１２のいずれか１項に記載された撮像装置の各手段として機能させるプログラム。
【請求項１７】
コンピュータを、請求項１乃至１２のいずれか１項に記載された撮像装置の各手段として機能させるプログラムを格納した記憶媒体。
【発明の詳細な説明】
【技術分野】
【０００１】
本発明は、不定長時間の長秒時撮影を行うための撮影制御技術に関するものである。
【背景技術】
【０００２】
最近のデジタルカメラなどの撮像装置は、スルー画像を表示する表示装置にタッチパネルを搭載し、タッチパネルを操作してカメラの設定を行うことはもちろん、シャッタースイッチとして撮影することも可能となっている。スルー画像表示とタッチパネルを組み合わせた撮影では、被写体を指定して撮影することが簡単にできるという特徴を持つが、タッチパネルの操作に指を使用するため、シャッタースイッチを操作する場合よりもカメラをしっかりとホールドする必要がある。このため、シャッタースイッチとタッチパネルのいずれを使用しても撮影可能なカメラもある。
【０００３】
一方、不定長時間の長秒時撮影を行う方法としてタイム撮影とバルブ撮影がある。バルブ撮影は撮影時間中、シャッタースイッチをオンし続ける方法であり、露光中の操作が少ないため、しっかりとホールドしていればぶれにくいという特徴を持つ一方で、オンし続けなければならないために煩わしい操作となる。また、タイム撮影は撮影開始と撮影終了をそれぞれ別々に指示する方法であり、露光中の操作が必要ないため、バルブ撮影に比べて煩わしさは少ないという特徴を持つ一方で、露光中の操作が多くなるためにぶれやすくなる（例えば、特許文献１参照）。
【先行技術文献】
【特許文献】
【０００４】
【特許文献１】特開平０３−１５８８３９号公報
【発明の概要】
【発明が解決しようとする課題】
【０００５】
露光時間の短い長秒時撮影時はぶれにくいバルブ撮影を行い、露光時間の長い長秒時撮影時は煩わしさの少ないタイム撮影を行いたい、すなわち簡単に２つの方法を切り替えて使用したいという要望がある。上記特許文献１には、アクセサリとしてのリモコンを使用してタイム撮影を行う方法が提案されているものの、動作モードを切り替えることなく、同一の動作モードでの操作方法の違いに応じてバルブ撮影とタイム撮影を簡単に切り替えて使用することはできない。
【０００６】
本発明は、上記課題に鑑みてなされ、その目的は、動作モードを切り替えることなく、同一の動作モードでの操作方法の違いに応じてバルブ撮影等の操作期間に応じた撮影と、タイム撮影等の撮影開始と終了を別途に指示する撮影とを簡単に切り替えることができる撮影制御技術を実現することである。
【課題を解決するための手段】
【０００７】
上記課題を解決し、目的を達成するために、本発明の撮像装置は、撮像手段と、ボタンと、タッチパネルに対するタッチ操作を検出するタッチ検出手段と、特定の動作モードにおいて、前記ボタンに対する操作を受け付けると当該操作を継続する時間に応じた期間の撮影を行うように前記撮像手段を制御し、前記特定の動作モードにおいて、前記タッチパネルに対するタッチ操作に応じて撮影を開始し、当該タッチ操作によるタッチが離され、再度タッチされたことを検出すると前記撮影を終了するように前記撮像手段を制御する制御手段と、を有する。
【発明の効果】
【０００８】
本発明によれば、動作モードを切り替えることなく、同一の動作モードでの操作方法の違いに応じてバルブ撮影等の操作期間に応じた撮影と、タイム撮影等の撮影開始と終了を別途に指示する撮影とを簡単に切り替えることができる。
【図面の簡単な説明】
【０００９】
【図１】本発明に係る実施形態の撮像装置の前面（ａ）及び背面（ｂ）を示す外観図。
【図２】本実施形態の撮像装置の構成を示すブロック図。
【図３】ライブビュー表示画面を例示する図。
【図４】シャッター速度変更処理を示すフローチャート。
【図５】撮影モードでの動作を示すフローチャート。
【図６】バルブ撮影での動作を示すフローチャート。
【図７】タイム撮影での動作を示すフローチャート。
【発明を実施するための形態】
【００１０】
以下に、本発明を実施するための形態について添付図面を参照して詳細に説明する。
【００１１】
［実施形態１］以下、本発明の撮像装置を、レンズ交換式の一眼レフカメラ（以下、カメラ）により実現した実施形態について説明する。
【００１２】
＜装置構成＞先ず、図１及び図２を参照して、本発明に係る実施形態の撮像装置の構成及び機能について説明する。
【００１３】
図１において、表示部１０１は画像や各種情報を表示するＬＣＤなどの表示デバイスである。シャッターボタン１０２は撮影指示を行うための操作部である。モード切替スイッチ１０３は各種モードを切り替えるためのダイヤル式の操作部である。端子カバー１０４は外部機器とカメラ１００をＵＳＢなどのケーブルを介して接続するためのコネクタ（不図示）を保護するカバー部材である。メイン電子ダイヤル１０５は図２で後述する操作部２７０に含まれる回転操作部材であり、このメイン電子ダイヤル１０５を回すことで、シャッター速度や絞りなどの設定値が変更できる。電源スイッチ１０６はカメラ１００の電源のオン／オフを切り替える操作部材である。サブ電子ダイヤル１０７も図２で後述する操作部２７０に含まれる回転操作部材であり、選択枠の移動や画像送りなどを行える。十字キー１０８も図２で後述する操作部２７０に含まれる移動指示部材であり、上、下、左、右のいずれかを押し込むことで、十字キー１０８の押した部分に応じた操作が可能である。ＳＥＴボタン１０９も図２で後述する操作部２７０に含まれる押しボタンであり、主に選択項目の決定などに用いられる。ライブビューボタン１１０も図２で述する操作部２７０に含まれる押しボタンであり、静止画撮影モードではライブビュー（以下、ＬＶ）表示のオン／オフを切り替え、動画撮影モードでは動画撮影（記録）の開始や停止の指示に使用される。拡大ボタン１１１も図２で後述する操作部２７０に含まれる押しボタンであり、ライブビュー表示において拡大モードのオン／オフ、及び拡大モード中の拡大率の変更を行うための操作部材である。拡大ボタン１１１は、再生モードでは再生画像を拡大し、拡大率を増加させるための拡大ボタンとして機能する。再生ボタン１１２も図２で後述する操作部２７０に含まれる押しボタンであり、撮影モードと再生モードとを切り替える操作部材である。撮影モード中に再生ボタン１１２を押下することで再生モードに移行し、図２の記録媒体２５０に記録された画像のうち最新の画像を表示部１０１に表示することができる。
【００１４】
クイックリターンミラー２１２は、図２のシステム制御部２０１の指示に応じて、不図示のアクチュエータによってアップ位置（露光位置）またはダウン位置（ライブビュー位置）に駆動される。通信端子２１０はカメラ１００がレンズユニット２００（図２）と通信を行うための電気的接点である。覗き込み型の接眼ファインダー２１６はフォーカシングスクリーン２１３（図２）を観察することで、レンズユニット２００を通じて取り込んだ被写体の光学像の焦点や構図の確認を行うための光学部材である。蓋１１３はカメラ１００に対して記録媒体２５０を着脱するためにスロットを開閉する部材である。グリップ部１１４は、ユーザがカメラ１００を構えた際に右手で握りやすい形状を有する。
【００１５】
図２に、本実施形態のカメラ１００の内部構成を示す。
【００１６】
図２において、レンズユニット２００は撮影レンズ２０７を搭載し、カメラ１００に対して着脱可能である。撮影レンズ２０７は通常、複数枚のレンズから構成されるが、ここでは簡略して１枚のレンズのみで示している。通信端子２０６はレンズユニット２００がカメラ１００と通信を行うための電気的接点である。通信端子２１０はカメラ１００がレンズユニット２００と通信を行うための電気的接点である。レンズユニット２００は、通信端子２０６を介してシステム制御部２０１と通信し、内蔵されたレンズ制御部２０４が絞り駆動回路２０２を制御して絞り２０５を駆動し、ＡＦ駆動回路２０３を制御してレンズ２０７の位置を変位させることで焦点を合わせる。
【００１７】
ＡＥセンサ２１７は、レンズユニット２００を通じて取り込んだ被写体の輝度を測光する。焦点検出部２１１は、システム制御部２０１にデフォーカス量を出力し、システム制御部２０１はデフォーカス量に応じてレンズユニット２００と通信し、位相差検出方式でのＡＦ制御を行う。
【００１８】
クイックリターンミラー（以下、ミラー）２１２は、露光、ライブビュー表示、動画撮影の際にシステム制御部２０１から指示を受けて、不図示のアクチュエータによってアップ位置またはダウン位置に駆動される。ミラー２１２は、レンズ２０７から入射した光束をファインダー２１６または撮像部２２２へ切り替える。ミラー２１２は通常、光束を反射してファインダー２１６へ光束を導くようダウン位置に付勢されているが、露光やライブビュー表示には、撮像部２２２へ光束を導くように上方に跳ね上がり光束中から待避する（アップ位置）。また、ミラー２１２は、光束の一部が透過して焦点検出部２１１に入射するように、中央部がハーフミラーとなっている。撮影者は、ペンタプリズム２１４とファインダー２１６を介して、フォーカシングスクリーン２１３を観察することで、レンズユニット２００を通じて取り込んだ被写体の光学像の焦点や構図の確認が可能となる。
【００１９】
シャッター２２１は、システム制御部２０１の指示に応じて撮像部２２２での露光時間を自由に制御できるフォーカルプレーンシャッターである。撮像部２２２は被写体の光学像を電気信号に変換するＣＣＤやＣＭＯＳ等の撮像素子で構成されたイメージセンサである。Ａ／Ｄ変換器２２３は、撮像部２２２から出力されるアナログ信号をデジタル信号に変換して画像データを生成する。
【００２０】
画像処理部２２４は、Ａ／Ｄ変換器２２３からのデータ、または、メモリ制御部２１５からのデータに対して所定の画素補間、縮小といったリサイズ処理や色変換処理を行う。また、画像処理部２２４では、撮像した画像データを用いて所定の演算処理が行われ、システム制御部２０１は演算結果に基づいて露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４では更に、撮像した画像データを用いて所定の演算処理を行い、演算結果に基づいてＴＴＬ方式のＡＷＢ（オートホワイトバランス）処理も行っている。
【００２１】
Ａ／Ｄ変換器２２３からのデータは、画像処理部２２４及びメモリ制御部２１５を介して、あるいは、メモリ制御部２１５を介してメモリ２３２に直接書き込まれる。メモリ２３２は、撮像部２２２およびＡ／Ｄ変換器２２３から得られる画像データや、表示部１０１に表示するための画像表示用のデータを格納する。メモリ２３２は、所定枚数の静止画や所定時間の動画および音声を格納するのに十分な記憶容量を備えている。また、メモリ２３２は画像表示用のメモリ（ビデオメモリ）を兼ねている。Ｄ／Ａ変換器２１９は、メモリ２３２に格納されている画像表示用のデータをアナログ信号に変換して表示部１０１に供給する。メモリ２３２に書き込まれた表示用の画像データはＤ／Ａ変換器２１９を介して表示部１０１により表示される。表示部１０１は、ＬＣＤなどのディスプレイデバイスに、Ｄ／Ａ変換器２１９からのアナログ信号に応じた表示を行う。このように、メモリ２３２に格納されたデジタル信号をアナログ信号に変換し、表示部１０１に逐次転送して表示することで、電子ビューファインダー（ＥＶＦ）機能を実現し、スルー画像表示（ライブビュー表示）を行える。
【００２２】
不揮発性メモリ２５６は、電気的に消去・記録可能な、例えばＥＥＰＲＯＭなどである。不揮発性メモリ２５６には、システム制御部２０１の動作用の定数、プログラム等が記憶される。ここでいう、プログラムとは、後述する各種フローチャートを実行するためのプログラムのことである。
【００２３】
システム制御部２０１は、カメラ１００全体を統括して制御する演算処理装置であって、不揮発性メモリ２５６に格納されたプログラムを実行することで、後述するフローチャートの各処理を実現する。システムメモリ２５２はＲＡＭなどであり、システム制御部２０１の動作用の定数、変数、不揮発性メモリ２５６から読み出したプログラムなどを展開するワークメモリとしても使用される。また、システム制御部２０１は、メモリ２３２、Ｄ／Ａ変換器２１９、表示部１０１などを制御することにより表示制御も行う。システムタイマー２５３は各種制御に用いる時間や、内蔵時計の時間を計測する計時部である。
【００２４】
モード切替スイッチ１０３、第１シャッタースイッチ２６１、第２シャッタースイッチ２６２、操作部２７０はシステム制御部２０１に各種の指示を入力するための操作手段である。
【００２５】
モード切替スイッチ１０３は、システム制御部２０１の動作モードを静止画記録モード、動画記録モード、再生モードのいずれかに切り替える。静止画記録モードに含まれるモードとしては、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモードなどがある。
【００２６】
モード切替スイッチ１０３で静止画記録モードに含まれる複数のモードのいずれかに直接切り替える。あるいは、モード切替スイッチ１０３で静止画記録モードに一旦切り替えた後に、静止画撮影モードに含まれる複数のモードのいずれかに他の操作部材を用いて切り替えるようにしてもよい。同様に、動画撮影モードにも複数のモードが含まれていてもよい。
【００２７】
第１シャッタースイッチ２６１は、カメラ１００に設けられたシャッターボタン１０２の操作途中、いわゆる半押し（撮影準備指示）でオンとなり、第１シャッタースイッチ信号ＳＷ１を発生する。システム制御部２０１は、第１シャッタースイッチ信号ＳＷ１を受けて画像処理部２２４によって、ＡＦ（オートフォーカス）処理、ＡＥ（自動露出）処理、ＡＷＢ（オートホワイトバランス）処理、ＥＦ（フラッシュプリ発光）処理などを開始する。
【００２８】
第２シャッタースイッチ２６２は、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２２２からの信号読み出しから記録媒体２５０に画像データを書き込むまでの一連の撮影処理を開始する。
【００２９】
操作部２７０は、表示部１０１に表示される種々の機能アイコンを選択操作することにより、場面ごとに適宜機能が割り当てられ、各種機能ボタン（ソフトボタン）として作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００３０】
操作部２７０は、ユーザからの操作を受け付けて、システム制御部２０１へ通知する入力部であり、少なくとも以下の操作部材が含まれる。シャッターボタン１０２、メイン電子ダイヤル１０５、電源スイッチ１０６、サブ電子ダイヤル１０７、十字キー１０８、ＳＥＴボタン１０９、ＬＶボタン１１０、拡大ボタン１１１、再生ボタン１１２。
【００３１】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２０１の指示に基づいてＤＣ−ＤＣコンバータを制御し、必要な電圧を必要な期間、記録媒体２５０を含む各部へ供給する。
【００３２】
電源部２３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２１８は、メモリカードやハードディスク等の記録媒体２５０とのインターフェースである。記録媒体２５０は、撮影された画像を記録するためのメモリカード等の記録媒体であり、半導体メモリや磁気ディスク等から構成される。
【００３３】
なお、操作部２７０には、表示部１０１に対するタッチ操作を検出可能なタッチ検出手段としてのタッチパネル２７１が含まれる。タッチパネル２７１と表示部１０１とは一体的に構成することができる。例えば、タッチパネル２７１の光の透過率が表示部１０１の表示を妨げないように、表示部１０１の表示面の上層に取り付ける。そして、タッチパネル２７１における入力座標と、表示部１０１上の表示座標とを対応付ける。これにより、ユーザが表示部１０１に表示された画面を直接的に操作可能であるかのようなＧＵＩを構成することができる。システム制御部２０１はタッチパネル２７１への以下の操作を検出できる。タッチパネル２７１を指やペンで触れたこと（以下、タッチダウンと称する）。タッチパネル２７１を指やペンで触れている状態であること（以下、タッチオンと称する）。タッチパネル２７１を指やペンで触れたまま移動していること（以下、ムーブと称する）。タッチパネル２７１へ触れていた指やペンを離したこと（以下、タッチアップと称する）。タッチパネル２７１に何も触れていない状態（以下、タッチオフと称する）。これらの操作や、タッチパネル２７１上に指やペンが触れている位置座標は内部バスを通じてシステム制御部２０１に通知され、システム制御部２０１は通知された情報に基づいてタッチパネル２７１上にどのような操作が行なわれたかを判定する。ムーブについてはタッチパネル２７１上で移動する指やペンの移動方向についても、位置座標の変化に基づいて、タッチパネル２７１上の垂直成分・水平成分毎に判定できる。またタッチパネル２７１上をタッチダウンから一定のムーブを経てタッチアップをしたとき、ストロークを描いたこととする。素早くストロークを描く操作をフリックと呼ぶ。フリックは、タッチパネル２７１上に指を触れたままある程度の距離だけ素早く動かして、そのまま離すといった操作であり、言い換えればタッチパネル２７１上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネル２７１は、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００３４】
＜シャッター速度変更処理＞次に、図３及び図４を参照して、シャッター速度変更処理について説明する。
【００３５】
図３にライブビュー表示中の表示部１０１の画面例を示す。システム制御部２０１はユーザがカメラの電源をオンすると、その時点での設定に従って表示部１０１を「表示なし」、「情報表示画面」、「スルー画表示画面（ＬＶ表示画面）」いずれかの状態にする。
【００３６】
３０１はライブビュー表示画面であり、画面全体にスルー画像が表示され、画面下部３０２に設定項目を表示するアイコンや文字が配置されている。
【００３７】
３０３はシステムメモリ２５２に保持されたシャッター速度を表示するための領域である。
【００３８】
図４は、本実施形態の撮像装置によるシャッター速度変更処理を示すフローチャートであり、例えば、ユーザがメイン電子ダイヤル１０５やタッチパネル２７１などでシャッター速度の設定を行う。シャッター速度の設定・変更は、Ｔｖモード（シャッター速度をユーザが指定し、絞り値を指定されたシャッター速度に合わせて自動で設定するモード）及びマニュアルモード（シャッター速度、絞り値ともにユーザが指定するモード）においては、ライブビュー表示のまま、あるいはライブビュー表示していない状態でメイン電子ダイヤル１０５の操作に応じて設定値を変更できる。また、各種撮影条件を設定するための設定画面を開いた状態でタッチパネル２７１へのタッチ操作によっても変更可能である。すなわち、シャッター速度を設定・変更するための操作部材はいくつかあるが、どの操作部材を使用する場合でも、短秒側、長秒側の２つの方向を持つ。例えば、メイン電子ダイヤル１０５の時計回り方向の操作、反時計回り方向の操作である。シャッター速度を設定・変更可能な状態で、シャッター速度設定操作部材が操作されると、システム制御部２０１は図４のシャッター速度変更処理を開始する。なお、この処理は、不揮発性メモリ２５６に記録されたプログラムをシステムメモリ２５２に展開してシステム制御部２０１が実行することにより実現する。本処理は操作部材に対する設定値１段分の操作量（例えば、メイン電子ダイヤル１０５に対する１クリック分の回転操作）に応じて実行されるため、１度の操作量が多い場合や何度も操作された場合にはその操作量に応じた分だけ処理が繰り返される。
【００３９】
図４において、Ｓ４１１では、システム制御部２０１は、操作部材への操作方向が長秒側であるか否かを判定し、長秒側への変更であれば長秒への設定を行うためにＳ４１３へ進み、長秒側への変更でなければ短秒への設定を行うためにＳ４１７へ進む。
【００４０】
Ｓ４１３では、システム制御部２０１は、システムメモリ２５２に保持されたシャッター速度が設定できる最長秒時であるか否かの判定を行い、シャッター速度が最長秒時であればＳ４１６へ進み、そうでなければＳ４１４へ進む。なお、ここで説明するカメラの最長秒時のシャッター速度は３０秒であるとする。
【００４１】
Ｓ４１６では、システム制御部２０１は、システムメモリ２５２に保持されたシャッター速度を、不定長時間長秒時撮影モード（以下、ＢＵＬＢモード）を示す特別な値に設定し、不定長時間長秒時撮影が可能な状態に設定する。なお、ここで説明するカメラのＢＵＬＢモードを示す特別な値は６０秒であるととする。
【００４２】
Ｓ４１４では、システム制御部２０１は、シャッター速度がＢＵＬＢモードを示す特別な値（６０秒）であるか否かの判定を行い、ＢＵＬＢモードであればＳ４２１へ進み、そうでなければＳ４１５へ進む。
【００４３】
Ｓ４１５では、システム制御部２０１は、システムメモリ２５２に保持されたシャッター速度を長秒時側に１段階変更する。
【００４４】
Ｓ４１７では、システム制御部２０１は、システムメモリ２５２に保持されたシャッター速度が設定できる最短秒時であるか否かの判定を行い、シャッター速度が最短秒時であればＳ４２１へ進み、そうでなければＳ４１８へ進む。なお、ここで説明するカメラの最短秒時のシャッター速度は１／４０００秒であるとする。
【００４５】
Ｓ４１８では、システム制御部２０１は、シャッター速度がＢＵＬＢモードを示す特別な値（６０秒）であるか否かの判定を行い、ＢＵＬＢモードであればＳ４２０へ進み、そうでなければＳ４１９へ進む。
【００４６】
Ｓ４１９では、システム制御部２０１は、システムメモリ２５２に保持されたシャッター速度を短秒時側に１段階変更する。
【００４７】
Ｓ４２０では、システム制御部２０１は、システムメモリ２５２に保持されたシャッター速度を最長秒時３０秒に設定し、Ｓ４２１へ進む。
【００４８】
Ｓ４２１では、システム制御部２０１は、図３のシャッター速度表示領域３０３の値を更新する。シャッター速度がＢＵＬＢモードを示す特別な値（６０秒）であれば、ＢＵＬＢの文字を表示し、そうでなければシャッター速度を数値で表示する。
【００４９】
＜撮影処理＞図５を参照して、本実施形態の撮影モードでの動作について説明する。この処理は、不揮発性メモリ２５６に記録されたプログラムをシステムメモリ２５２に展開してシステム制御部２０１が実行することにより実現する。ここで、撮影モードはカメラ設定変更画面と排他になっているものとする。
【００５０】
図５において、Ｓ５０１では、システム制御部２０１は、ＬＶ表示画面に表示されるスルー画像の更新を行う。
【００５１】
Ｓ５２１では、システム制御部２０１は、シャッター速度がＢＵＬＢモードを示す特別な値（６０秒）であるか否かの判定を行い、ＢＵＬＢモードであればＳ５０２へ進み、そうでなければＳ５０６へ進む。
【００５２】
Ｓ５０６では、システム制御部２０１は、第１シャッタースイッチ２６１の状態を判定し、オンであればＳ５０８へ進み、オフであればＳ５０７へ進む。
【００５３】
Ｓ５０８では、システム制御部２０１は、公知のＡＥおよびＡＦを実施する。
【００５４】
Ｓ５０９では、システム制御部２０１は、第２シャッタースイッチ２６２の状態を判定し、オンであればＳ５１２へ進み、オフであればＳ５１０へ進む。
【００５５】
Ｓ５１０では、システム制御部２０１は、第１シャッタースイッチ２６１の状態を判定し、オンであればＳ５０９へ進み、オフであればＳ５０１へ進む。
【００５６】
Ｓ５１２では、システム制御部２０１は、表示部１０１のＬＶ表示画面を消灯する。
【００５７】
Ｓ５１３では、システム制御部２０１は、予めシステムに設定された条件で静止画の撮影を行い、静止画像データを生成する。
【００５８】
Ｓ５０７では、システム制御部２０１は、タッチパネルの状態を判定し、タッチオンであればＳ５１１へ進み、タッチオフであればＳ５０１へ戻る。
【００５９】
Ｓ５１１では、Ｓ５０８と同様に、システム制御部２０１は、ＡＥおよびＡＦを実施し、続けてＳ５１２、Ｓ５１３の処理を行い、静止画像データを生成する。
【００６０】
一方、Ｓ５０２では、システム制御部２０１は、第１シャッタースイッチ２６１の状態を判定し、オフであればＳ５０４へ進み、オンであればＳ５０３へ進み、バルブ撮影を行う。バルブ撮影の詳細については図６を用いて後述する。
【００６１】
Ｓ５０４では、システム制御部２０１は、タッチパネルの状態を判定し、タッチオフであればＳ５０１へ戻り、タッチオンであればＳ５０５へ進み、タイム撮影を行う。タイム撮影の詳細については図７を用いて後述する。
【００６２】
なお、タッチパネル操作による撮影は、特定の領域をタッチした場合にのみ行うように構成してもよい。
【００６３】
＜バルブ撮影＞図６を参照して、図５のＳ５０３でのバルブ撮影での動作について説明する。
【００６４】
図６において、Ｓ６０１では、システム制御部２０１は、ＡＥおよびＡＦを実施する。
【００６５】
Ｓ６０２では、システム制御部２０１は、第１シャッタースイッチ２６１の状態を判定し、オンであればＳ６０３へ進み、オフであればバルブ撮影を終了する。
【００６６】
Ｓ６０３では、システム制御部２０１は、第２シャッタースイッチ２６２の状態を判定し、オンであればＳ６０４へ進み、オフであればＳ６０２へ戻る。
【００６７】
Ｓ６０４では、システム制御部２０１は、表示部１０１のＬＶ表示画面を消灯する。
【００６８】
Ｓ６０５では、システム制御部２０１は、システムに設定された撮影条件で、撮像部２２２への露光を開始する。
【００６９】
Ｓ６０６では、システム制御部２０１は、第２シャッタースイッチ２６２の状態がオンからオフになるのを待ち、オフになったらＳ６０７へ進む。
【００７０】
Ｓ６０７では、システム制御部２０１は、撮像部２２２への露光を終了し、画像処理部２２４において静止画像データを生成する。
【００７１】
なお、バルブ撮影による撮影中（露光中）は誤操作を防止するためタッチパネルに対する操作を受け付けない。
【００７２】
＜タイム撮影＞図７を参照して、図５のＳ５０５でのタイム撮影での動作について説明する。
【００７３】
図７において、Ｓ７０１では、システム制御部２０１は、ＡＥおよびＡＦを実施する。
【００７４】
Ｓ７０２では、システム制御部２０１は、表示部１０１のＬＶ表示画面を消灯する。
【００７５】
Ｓ７０３では、システム制御部２０１は、システムに設定された撮影条件で、撮像部２２２への露光を開始する。また、タッチオンタイマーｔを開始する。
【００７６】
Ｓ７０４では、システム制御部２０１は、タッチパネルの状態を判定し、タッチオンであればＳ７０５へ進み、タッチオフであればＳ７０８へ進む。
【００７７】
Ｓ７０５では、システム制御部２０１は、タッチオンタイマーが予め設定されたガイダンス表示規定時間Ｔｇを超えているか否かの判定を行い、超えていればＳ７０６へ進み、超えていなければＳ７０４へ進む。
【００７８】
Ｓ７０６では、システム制御部２０１は、表示部１０１に「タイム撮影を開始しました」というガイダンスを表示する。これによって、バルブ撮影ではなくタイム撮影が実行中であることをユーザに認識させることができ、ユーザはバルブ撮影とタイム撮影を混同することなく使い分けることができる。すなわち、バルブ撮影と誤認してタッチ操作をしたままとすることなく、現在タッチしている指は離してもよいことがわかる。また、タッチオンとなってからＴｇが経過した後にガイダンスを表示することで、タイム撮影であることを認識していてタッチ後すぐに指を離したユーザにはガイダンスを提示しないようにし、Ｔｇが経過するまでタッチを継続していてバルブ撮影と誤認している可能性のあるユーザにのみ提示するようにしている。
【００７９】
Ｓ７０７では、システム制御部２０１は、タッチパネルの状態がタッチオンからタッチオフになるのを待ち、タッチオフになったらＳ７０８へ進む。
【００８０】
Ｓ７０８では、システム制御部２０１は、表示部１０１に「次のタッチでタイム撮影を終了します」というガイダンスを表示する。次に、Ｓ７０９では、タッチパネルの状態がタッチオフから再度タッチオンになるのを待ち、タッチオンになったらＳ７１０へ進む。
【００８１】
Ｓ７１０では、撮像部２２２への露光を終了し、画像処理部２２４によって静止画像データを生成する。
【００８２】
なお、タイム撮影による撮影中（露光中）は誤操作防止のためにシャッターボタン１０２に対する操作は受け付けない。また、本実施形態ではタッチオンで露光を開始するものとして説明したが、タッチアップに応じて露光を開始するものとしてもよい。その場合、タッチアップで露光を開始し、続くタッチダウンに応じて露光終了する。
【００８３】
以上述べたように、本実施形態によれば、不定長時間長秒時撮影モードにおいて、シャッターボタン操作によってバルブ撮影を行い、タッチパネル操作によってタイム撮影を行うので、バルブ撮影とタイム撮影を簡単に切り替え、かつカメラのブレを低減できる。
【００８４】
＜変形例＞上述したタイム撮影の手順を一部変形し以下のような処理とすることもできる。これにより、タイム撮影の不用意な終了を防止することができる。
【００８５】
即ち、図７において、Ｓ７０８でガイダンス表示の代わりに、「タイム撮影終了」を矩形枠で囲ったタイム撮影終了ボタンを表示する。そして、Ｓ７０９でタッチオンかつタッチ位置の座標がタイム撮影終了ボタン領域内であればＳ７１０へ進み、タッチオフまたはタッチ位置の座標がタイム撮影終了ボタン領域外であればＳ７０９へ進む。
【００８６】
このように構成することで、ユーザの不用意なタッチにより、意図せずに露光を終了する事態を防止することができる。
【００８７】
また、以下のように、タイム撮影をシャッターボタン１０２により終了することも可能である。
【００８８】
すなわち、Ｓ７０９でタッチオンまたは第１シャッタースイッチ２６１がオンであればＳ７１０へ進み、タッチオフかつ第１シャッタースイッチ２６１がオフであればＳ７０９へ戻る。
【００８９】
このように構成にすることで、タッチオフとシャッターボタンの両方で、タッチ撮影を終了することができる。
【００９０】
さらに、以下のように、タッチオンタイマーでバルブ撮影とタイム撮影を切り替えるように構成することも可能である。
【００９１】
すなわち、Ｓ７０５でタッチオンタイマーが予め設定されたバルブ撮影規定時間Ｔｂを超えているか否かの判定を行い、超えている場合はＳ７０９へ進み、超えていなければＳ７０７へ進む。そして、Ｓ７０７でタッチパネルの状態がタッチオンからタッチオンになっていなければＳ７０４に進む。
【００９２】
このように構成することで、撮影開始時にタッチオンしている時間が所定時間Ｔｂを超えていればバルブ撮影を行い、Ｔｂを超える前にタッチオフした場合はタイム撮影とするように、タイム撮影とバルブ撮影を切り替えることも可能である。これは、タッチを長時間継続する操作はタッチしている期間に合わせて露光を行いたいというバルブ撮影の操作であると想定でき、また、短いタッチ操作はタイム撮影の開始指示をしようとした操作であると想定できるためである。このように同じ撮影モード中でタッチ操作を異ならせることによって、直観的にバルブ撮影とタイム撮影を使い分けることが可能となる。
【００９３】
なお、シャッターボタン操作でタイム撮影を行い、タッチパネル操作でバルブ撮影を行うように構成してもよい。
【００９４】
また、上述の各実施形態では、ともに長秒露光であるバルブ撮影とタイム撮影とを、ボタン操作が行われたかタッチ操作が行われたかで使い分ける例を説明したが、連続した撮影であれば長秒露光に限らず本発明を適用可能である。
【００９５】
例えば、連写撮影に本発明を適用した場合について説明する。特定の撮影モードにおいて、シャッターボタン操作（第２シャッタースイッチ２６２がオン）があったことに応じて連写撮影を開始する。そのシャッターボタン操作が継続している限り（第２シャッタースイッチ２６２がオンである限り）連写撮影を続ける（自動的に繰り返し撮影を行う）。そしてシャッターボタン操作が終了すると（第２シャッタースイッチ２６２がオフとなると）連写を終了する。一方、前述の特定の撮影モードにおいてタッチパネルに対するタッチオンを検出したことに応じて連写撮影を開始する。そして、タッチオンからタッチオフになっても（タッチパネルに対するタッチが一旦離されても）連写撮影を継続する。そして、タッチオフとなった後に再度タッチオンとなると（タッチパネルに対して再度タッチ操作があると）連写撮影を終了する。
【００９６】
また、動画撮影に本発明を適用した場合について説明する。特定の撮影モードにおいて、シャッターボタン操作（第２シャッタースイッチ２６２がオン）があったことに応じて動画撮影（動画記録）を開始する。そのシャッターボタン操作が継続している限り（第２シャッタースイッチ２６２がオンである限り）動画撮影（動画記録）を続ける。そしてシャッターボタン操作が終了すると（第２シャッタースイッチ２６２がオフとなると）動画撮影（動画記録）を終了する。一方、前述の特定の撮影モードにおいてタッチパネルに対するタッチオンを検出したことに応じて動画撮影（動画記録）を開始する。そして、タッチオンからタッチオフになっても（タッチパネルに対するタッチが一旦離されても）動画撮影（動画記録）を継続する。そして、タッチオフとなった後に再度タッチオンとなると（タッチパネルに対して再度タッチ操作があると）動画撮影（動画記録）を終了する。
【００９７】
上述の連写撮影や動画撮影に関しても、シャッターボタン操作とタッチパネル操作の制御を上述の例と反対としても良い。ただし、撮影を終了するのに再操作が必要な撮影の方にタッチパネル操作を割り当てた方が手ぶれを低減できる分、効果的である。
【００９８】
なお、システム制御部２０１の制御は１つのハードウェアが行ってもよいし、複数のハードウェアが処理を分担することで、装置全体の制御を行ってもよい。
【００９９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１００】
また、上述した実施形態においては、本発明を撮像装置に適用した場合を例にして説明したが、本発明はこの例に限定されず、例えば、操作部材によってバルブ撮影とタイム撮影を切り替えられる装置であれば適用可能である。すなわち、本発明はカメラ機能を有する携帯電話端末やゲーム機などに適用可能である。
【０１０１】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2013225844.tif 000003
【図２】
2013225844.tif 000004
【図３】
2013225844.tif 000005
【図４】
2013225844.tif 000006
【図５】
2013225844.tif 000007
【図６】
2013225844.tif 000008
【図７】
2013225844.tif 000009